(57)【要約】【課題】梁材に吊り下げられる屋根材に対して、梁材の長さの調整をしなくても、屋根材の前後方向の位置調整が容易になされる簡易屋根を提供する。【解決手段】支柱１の上部から前方に突設された梁材２に取付けられた吊り部材３を介して吊り下げられる屋根材４を備え、屋根材４は左右端に支持部材６が設けられると共に、吊り部材３に連結された嵌合部材８に支持部材６が前後方向に移動可能に取付けられ、もって屋根材４が梁材２に対して前後方向に移動可能に吊り下げられるように簡易屋根を構成する。【選択図】        図１
2010059716.tif 000002
【特許請求の範囲】
【請求項１】
地表に立設された支柱と、この支柱の上部から前方に突設された梁材と、この梁材に取付けられた吊り部材を介して吊り下げられる屋根材とを備えた簡易屋根であって、前記屋根材は左右端に支持部材が設けられると共に、前記吊り部材に連結された嵌合部材に前記支持部材が前後方向に移動可能に取付けられ、もって前記屋根材が梁材に対して前後方向に移動可能に吊り下げられたことを特徴とする簡易屋根。
【請求項２】
前記屋根材は、左右に複数連接されると共に、連接部の上方に左右の屋根材の支持部材を跨いで吊り部材が配置され、該吊り部材に左右の屋根材の前記支持部材が吊り下げられたことを特徴とする請求項１に記載の簡易屋根。
【発明の詳細な説明】
【技術分野】
【０００１】
本発明は、バス停や、駅前、屋外の通路等に設けられる雨よけ等のための簡易屋根に関するものである。
【背景技術】
【０００２】
従来、バス停や、駅前、屋外の通路等に設けられる雨よけ等のための簡易屋根としては、様々な提案されている。特に、比較的大きな駅の駅前のバス停は、多数の路線向けのためのバス停が集合しているため、この場所に設けられるバス停は、複数の簡易屋根が長手方向に連設される場合が多く、その簡易屋根の支柱は、バスが停留する側に柱がない片持ち型が多く用いられている。
【０００３】
又、支柱に対する屋根材の取付構造としては、主に支柱から張り出した梁材の上に屋根材を載せた構造と、梁材の下に吊り下げた構造とがある。後者の場合は、屋根材を吊り下げる吊り下げ部材等が必要となり、前者の梁材上に屋根材を載せる構造と比べると取付構造はやや複雑となるが、屋根材の下にいる利用者からは梁材が見えないため、外観上、屋根材の下面のみが長手方向に連接したすっきりした外観となり、前者に比べて景観性を高めることができる。
【０００４】
後者の屋根材としては、支柱上部に固定した固定部と固定部の長手方向に沿って移動可能な伸縮部とから構成された梁が設けられ、固定部と伸縮部に梁に屋根体を取付ける連結部材を設け、一つの連結部材は伸縮部に位置を固定して設け、他の連結部材は固定部の長手方向に沿って移動可能に取付け、梁の伸縮部の移動位置を調整することにより、支柱に対する屋根体５の取付け位置を調整可能とした簡易構築物が提案されている（例えば、特許文献１参照。）。
【０００５】
この簡易構築物は、狭小地での設置に適し、施工場所にある障害物の制約を受けずに施工することができ、梁を切断加工することなく良好な外観が得られ且つ施工作業を簡略化できるものである。
【特許文献１】特開２００６−９７３６４号公報
【発明の開示】
【発明が解決しようとする課題】
【０００６】
ところで、前記のような簡易構造物において、梁には固定部と伸縮部とが重なり合った重合部が生じる。従って、同じ長さの１本の梁に比べると重くなり、片持ち梁としては不利な構造であった。又、重合部により連結部材の取付位置が制限されたり、更に、パネル位置調整により、梁の全長が長くなると伸縮部に取付けられた連結部材を介して梁に生じる力のモーメントが大きくなり、梁の撓み寸法が大きくなったりするものであった。
【０００７】
本発明の目的は、梁材に吊り下げられる屋根材に対して、梁材の長さの調整をしなくても、屋根材の前後方向の位置調整が容易になされる簡易屋根を提供せんとするものである。
【課題を解決するための手段】
【０００８】
上記目的を達成するために、本発明は次のような構成としている。
すなわちこの発明に係る簡易屋根は、地表に立設された支柱と、この支柱の上部から前方に突設された梁材と、この梁材に取付けられた吊り部材を介して吊り下げられる屋根材とを備えた簡易屋根であって、前記屋根材は左右端に支持部材が設けられると共に、前記吊り部材に連結された嵌合部材に前記支持部材が前後方向に移動可能に取付けられ、もって前記屋根材が梁材に対して前後方向に移動可能に吊り下げられたことを特徴とするものである。
【０００９】
本発明に係る簡易屋根において、屋根材を左右に複数連接すると共に、連接部の上方に左右の屋根材の支持部材を跨いで吊り部材を配置し、該吊り部材に左右の屋根材の前記支持部材を吊り下げた構成としてもよい。
【発明の効果】
【００１０】
本発明によれば、屋根材は左右端に支持部材が設けられると共に、前記吊り部材に連結された嵌合部材に前記支持部材が前後方向に移動可能に取付けられ、もって前記屋根材が梁材に対して前後方向に移動可能に吊り下げられているので、梁材の長さや吊り部材の位置を変える必要がなく、屋根材の前後方向の位置調査が容易であり、特に屋根材を左右方向に並べて設置した場合に、屋根材の前面の位置合わせが容易になされる。
【００１１】
本発明に係る簡易屋根において、屋根材を左右に複数連接すると共に、連接部の上方に左右の屋根材の支持部材を跨いで吊り部材を配置し、該吊り部材に左右の屋根材の前記支持部材を吊り下げた構成とすれば、吊り部材により左右の屋根材の支持部材どうしの高さ位置を合わせることが容易となり、これにより左右の屋根材における下面の高さ位置を合わせやすくなり、屋根材の下面の連接部において上下方向の段差等が生じにくくなる。
【発明を実施するための最良の形態】
【００１２】
次に、本発明を実施するための最良の形態について図面を参照し、具体的に説明する。
【００１３】
すなわち、図１は本発明に係る簡易屋根の実施の一形態を示す概略斜視図、図２は図１の正面図、図３は図１の側面図、図４は図１の平面図、図５は図１の屋根材の前後方向の拡大断面図、図６は図１の屋根材の左右方向の拡大断面図、図７は図４のＡ−Ａ断面における拡大断面図、図８は図７のＢ−Ｂ断面における拡大断面図である。
【００１４】
図面において、１は地表から立設された支柱、２は支柱１の上部に取付けられた梁材、３は、梁材２に取付けられた吊り部材、４は屋根材であり、本発明に係る簡易屋根Ｐは、支柱１、梁材２、吊り部材３、及び屋根材４から主に構成され、吊り部材３を介して、梁材２から屋根材４が吊り下げられたものである。
【００１５】
図１〜８は、本発明に係る簡易屋根Ｐの実施の一形態を示す説明図であり、図１は概略斜視図、図２は正面図、図３は側面図、図４は平面図である。支柱１は鋼管を適宜長さに切断して作成され、上端部は天板が取付けられて塞がれている。支柱１の材質は、前記した鋼管に限るものではなく、アルミニウム合金押出型材等でもよいが、強度的に安定でコストの安い鋼管が好適に用いられる。
【００１６】
梁材２は、支柱１と同様に鋼管を適宜長さに切断して作成されたものである。梁材２の一端には取付プレート２１が取付けられている。そして、この取付プレート２１を介して、梁材２は、支柱１の上部から前方に向けて突設されている。本実施形態では、梁材２は、取付プレート２１から支柱１を前後に貫通して、支柱１の背面側に配置された補強プレート１１を通るボルトＢ１とナットＮ１とを介して支柱１の上部前面に締結されたものであるが、例えば、支柱１と梁材２とが溶接により接合されたものでもよく、梁材２から屋根材４を吊り下げた際にその状態を維持するための必要な強度を有していればよい。梁材２のもう一端は、前面板により塞がれている。
【００１７】
梁材２の材質は、支柱１と同様に、前記した鋼管に限るものではなく、アルミニウム合金押出型材等でもよいが、強度的に安定でコストの安い鋼管が好適に用いられる。
【００１８】
吊り部材３は、梁材２に固定される固定部３１と、屋根材４を吊り下げる為の吊り部３２とを備えたものであり、この吊り部材３を介して屋根材４が梁材２に吊り下げられている。本実施形態では、図２に示すように、鋼板をプレス加工等により成形されたものであり、横板状の固定部３１とその下方に前後に間隔をおいて横板状の前後の吊り部３２と、固定部３１と前後の吊り部３２とを連結する連結部３３がなる側面視ハット状に形成されている。吊り部材３は、固定部３１の下方から梁材２を上下に貫通するボルトＢ２とナットＮ２とにより、梁材２に固定されているが、梁材２の側面に固定されるようにしてもよい。
【００１９】
吊り部材３は、前記した鋼板に限るものではなく、ステンレス合金、アルミニウム合金等から成形されてものよいが、強度的に安定でコストの安い鋼板が好適に用いられる。又吊り部材３は、少なくとも１個の固定部３１と１個の吊り部３２を備えていればよく、例えば、１個の固定部３１と１個の吊り部３２と２個の固定部３３とからなる側面視口字状に形成されたものでもよい。
【００２０】
図５，６は、屋根材４の構造を説明するための前後方向及び左右方向の断面図であり、又、図６において、（ａ）は屋根材の左右両端に亘る断面図、（ｂ）は（ａ）において支持部材５付近の部分拡大図である。屋根材４は、上下に間隔をあけて配置された上面材４１及び下面材４２と、これらを支持する枠体５を備えており、後側に雨水が流れるように水切り勾配を付けて梁材２に吊り下げられている。
【００２１】
上面材４１は、複数の上面板４３が左右方向に連接されると共に、連接部において雨水等が外側から内側に浸入しないようになされたものである。本実施形態は、長方形のアルミ板で、長辺側の両端と中央部から長手方向に沿って逆Ｕ字型の凸条を４個形成している。そして、長辺側の端部において一方の突条に対してもう一方の突条が上から重合可能となされている。この構造により、剛性が高められると共に、上面板４１を順次その端部の突条どうしを重合させて施工できるので、雨水等が重合部の外側から内側へは浸入しにくくなり、又屋根材４の左右方向の幅違いに対応しやすい構造となされている。尚、上面板４１は鋼板等の他の金属板を用いたものでもよいが、耐食性に優れ単位重量が軽いアルミニウム板が好適に用いられる。
【００２２】
下面材４２は、本実施形態では、矩形状で、合成樹脂からなるシート状の芯材の表裏にアルミニウム箔が貼着された積層板４４が左右方向に連設されたものである。下面材４２は本形態に限定されるものではないが、アルミニウム箔のサンドイッチ構造により剛性が高められ、更に、芯材が合成樹脂であることにより同じ厚さの金属板よりも重量が軽くなる本実施形態が好適に用いられる。尚、前記連設部においては、下面材４２の端面どうしが当接されたものでもよいが、外観上面一と視認される程度であれば、熱膨張や加工誤差等を吸収するために隙間を設けてもよい。
【００２３】
枠体５は、前部に配置された前横桟５１と、後部に配置された後横桟５２と、左右端にそれぞれ配置された支持部材６とにより矩形状に形成されたものである。前横桟５１は、上面材４１及び下面材４２の前部を支持するものであり、本実施形態では図５に示すように、後上部が長手方向に切り欠かれて段部５３が設けられ、この段部５３に上面材４１の前部が載置されビズ止めされている。尚、段部５３に載置された上面材４１の前部が上方に折り曲げられていれば、雨水等が折り曲げ部を超えて、上面材４１と段部５３との間から染みこんで内部に浸入しにくくなるので、より好ましい。又、前横桟５１には、前面及び段部５３の上方を覆うカバー材５４が取付けられ、意匠性を高めると共に、段部５３から内部に水が浸入しにくくなるようになされている。
【００２４】
又、前横桟５１の後面下部には後方に向けて突設部５５が設けられ、この突設部５５に取付けられた中間部材７１と下面材４２の前方上面とが接合されている。接合部材は特に限定されるものではないが、中間部材７１側から下面材４２に向けてブラインドリベット等の先端が被接合部材の内部に留まり外部に出ない接合部材を用いれば、下面材４２の下面に接合部材の先端が露出せず、意匠性を高めることができるので好ましい。
【００２５】
後横桟５２は、上面材４１及び下面材４２の後部を支持するものであり、本実施形態では図５に示すように、後横桟５２の上面に上面材４１の後部が載置され、後横桟５２の前面下部には前方に向けて突設部５６が設けられ、この突設部５６に取付けられた中間部材７２と下面材４２の後方上面とが接合されている。又後横桟５２の後方には雨受け５７が取付けられており、上面材４１に沿って後方に流れる雨水等を排水パイプ５８に導水するようになされている。
【００２６】
支持部材６は、前横桟５１、及び後横桟５２に接合され枠体５を形成すると共に、枠体５の左右端に配置され上面材４１及び下面材４２の側端部を支持するものであり、本実施形態では図６に示すように、支持部材６の上側部には側方に開口した溝部６１が長手方向に沿って形成され、上面材４１の側端部が溝部６１内に配置されている。溝部６１の下壁には縦板状の雨止め突起６２が長手方向に沿って立設され、上面材４１が雨止め突起６２を跨いで配置されている。この構造により、雨水が上面材４１の突起を超えても雨止め突起６２により雨水の内側の浸入を防ぐことができる。尚、上面材４１が雨止め突起６２を跨ぐには、逆Ｕ字状の突条を配置してもよく、上面材４１の端部の長さ調整等により切断した場合は、切断端部を折り曲げて、その折り曲げ部を配置するようにしてもよい。
【００２７】
又、支持部材６の下側面には側方に向けて突設部６３が設けられ、この突設部６３に取付けられた中間部材７３と下面材４２の側端部上面とが接合されている。
【００２８】
尚、本実施形態においては、前横桟５１と後横桟５２との間に補強桟５９が架設されており、下面材４２の積層板４４の連接部の上に配置され、前横桟５１と同様に補強桟５９から側方に向けて突出した突出部に中間部材７４が取付けられ、この中間部材７４と下面材４２の側端部とが接合されている。
【００２９】
枠体５を構成する前横桟５１、後横桟５２、補強桟５９、及び支持部材６は、本実施形態では、アルミニウム合金の押出型材からなる長尺体を適宜長さに切断して用いられるものであり、断面形状の設計が比較的容易であり、軽量で強度が高いものを比較的容易に製造することができるので好適に用いることができるが、アルミニウム合金以外の金属を用いてもよい。
【００３０】
次に、吊り部材３と支持部材６との関係を詳しく説明する。図７、８は、吊り部材３に対すると支持部材６の吊り下げ構造を示す説明図であり、図７は吊り部材３付近の拡大断面図であり、図８は吊り部材３付近の拡大側面図である。
【００３１】
支持部材６は、前後方向に沿って形成されたガイド部６４に沿って移動可能に取付けらえた嵌合部材８を有し、この嵌合部材８が吊り部材６に連結されることにより、吊り部材６に対して前後方向に移動可能となされたものである。これにより、吊り部材６が取付けられた梁材２に対して、支持部材６を備えた屋根材４が前後方向に移動可能となされる。
【００３２】
本実施形態では、図７，８に示すように、支持部材６の上面には、前後方向に沿って内側に向けて凹んだ嵌合溝６５が形成され、ガイド部６４となされている。この嵌合溝６５内に嵌合部材８となされたボルト８１の頭部８２が配置され、ボルト８１の螺子部８３が嵌合溝６５の開口部から突出されている。嵌合溝６５の開口端には相対して突出した支持片６６，６６が設けられ、開口部が奥部より幅狭となされ、頭部８２が嵌合溝６５から抜け出さないようになされている。そして、この螺子部８３が吊り部材３の吊り部３２に設けられた透孔３４を通ってナットＮ３に螺入されている。この構造により、ボルト８１にナットＮ３を締結すれば、ボルト８１の頭部８２とナットＮ３の間に、吊り部３２と支持片６６，６６とが締着され、吊り部材３に対して支持部材６が固定され、ナットＮを緩めれば、吊り部材３に対して支持部材６が前後方向に移動可能となされる。
【００３３】
更に、本実施形態においては、ボルト８１の頭部８２と支持片６６との間に平板状のスペーサー９が配置され、図８に示すように前後に配置されたボルト８１の螺子部８３がスペーサー９の前後部に設けられた透孔９１を貫通している。これにより、嵌合溝６５内に配置された前後のボルト８１の位置決めが容易となると共に、ナットＮ３とを締結した際に、スペーサー９の両側端部が前後に亘って支持片６６の内面と締着されるため、ボルト８のみで支持片６６と締着する場合に比べると、より広い面積で屋根材４の荷重を分散させて支えることができるので、より好ましい。
【００３４】
嵌合部材８は、本実施形態に限定されるものではなく、例えば、前記のボルトとナットの位置関係を入れ替え、ナットを嵌合溝６５内に配置し、上からボルトを通してナットに螺着させるものでもよく、或いは、嵌合溝６５内に配置された前記ナットの代わりに支持板を配置し、該支持板においてボルトの螺着位置に予め螺子孔を設けたものを用いてもよい。
【００３５】
梁材２に対する吊り部材３の取付数や取付位置は、吊り下げる屋根材４の重量や前後方向の長さ寸法に応じて適宜設定することができる。
【００３６】
又、図７に示すように、屋根材４が左右方向に連接され、左右の屋根材４の支持部材６が隣合って配置された連接部においては、吊り部３は、左右の支持部材６，６を跨いで配置されている。これにより、隣合う支持部材６どうしの高さ位置を合わせることが容易となり、屋根材４の下面の高さ位置を合わせることも容易となるので、屋根材４の連接部において、左右の屋根材４の高さ位置がずれることにより段差が生じるようなことはなく、屋根材４が左右方向に多数連接される場合でも、比較的容易に屋根材４の下面が略面一に形成され、意匠性を高めることができる。又、連接された左右の屋根材４において、それぞれの前面の位置合わせも容易になされる。従って、屋根材において左右方向の中間部において梁材で支える場合に比べると、前記のような屋根材の高さ位置や前面位置の位置合わせが容易となる。
【図面の簡単な説明】
【００３７】
本実施形態では、支持部材６の上面が平坦に形成され、その平坦面から下方に向けて嵌合溝６５が形成されており、又吊り部材３の吊り部３２の下面も平坦に形成されている。これにより、隣合う支持部材６どうしの高さ位置を合わせることがより容易となる。
【図１】本発明に係る簡易屋根の実施の一形態を示す概略斜視図である。
【図２】図１の正面図である。
【図３】図１の側面図である。
【図４】図１の平面図である。
【図５】屋根材の前後方向の拡大断面図である。
【図６】屋根材の左右方向の拡大断面図である。
【図７】図４のＡ−Ａ断面における拡大断面図である。
【図８】図７のＢ−Ｂ断面における拡大断面図である。
【符号の説明】
【００３８】
１    支柱
２    梁材
３    吊り部材
３２  吊り部
４    屋根材
６    支持部材
６４  ガイド部
６５  嵌合溝
６６  支持片
８    嵌合部材
８１  ボルト
９    スペーサー
Ｂ１、Ｂ２  ボルト
Ｎ１、Ｎ２、Ｎ３  ナット
Ｐ    簡易屋根
【図１】
2010059716.tif 000003
【図２】
2010059716.tif 000004
【図３】
2010059716.tif 000005
【図４】
2010059716.tif 000006
【図５】
2010059716.tif 000007
【図６】
2010059716.tif 000008
【図７】
2010059716.tif 000009
【図８】
2010059716.tif 000010